(57)【特許請求の範囲】
【請求項１】
給水管からの水を加熱して給湯管から給湯する給湯回路と、浴槽の水を循環加熱する風呂追い焚き回路と、前記給湯回路と前記風呂追い焚き回路とを共通のバーナ部で加熱される給湯用熱交換器及び風呂用熱交換器と、前記給湯回路の給湯管から分岐され風呂追い焚き回路の往き管に逆止弁を介して接続された第１湯張り管と、風呂追い焚き回路の戻り管に接続された第２湯張り管とを備えたものに於いて、前記往き管の第１湯張り管の接続部分から浴槽側には風呂湯温を検知する風呂湯温検知センサを備えると共に、往き管の第１湯張り管の接続部分から風呂用熱交換器側には流水検知センサを備え、前記第１湯張り管の逆止弁の閉塞状態の故障での風呂の湯張り運転では、前記風呂湯温検知センサが温水の異常加熱を検知して湯張り運転を停止し、前記逆止弁の開成状態の故障での風呂追い焚き運転では、前記流水検知センサが浴槽水の水流を検知せず風呂の追い焚き運転を停止させる事を特徴とする一缶二水路式追い焚き給湯装置。
【発明の詳細な説明】
【技術分野】
【０００１】
この発明は、第１湯張り管の逆止弁に故障があっても異常発生しない一缶二水路式追い焚き給湯装置に関するものである。
【背景技術】
【０００２】
従来よりこの種のものでは、２本の湯張り管にそれぞれ逆止弁を備え、浴槽水の逆流を防止しながら湯張りの時間短縮を図るものであった。（例えば、特許文献１参照。）
【特許文献１】特許第２８６８１５７号公報
【発明の開示】
【発明が解決しようとする課題】
【０００３】
ところでこの従来のものでは、一方の逆止弁が閉塞故障の場合、湯張りされた湯水は熱交換器にも流通するので、この熱交換器が一缶二水路式の場合では、給湯用熱交換器と一体であり、湯張り中ではバーナで加熱されているので、再度加熱されて湯張りされる危険があるものであった。
【課題を解決するための手段】
【０００４】
この発明はこの点に着目し上記問題点を解決する為、特にその構成を、給水管からの水を加熱して給湯管から給湯する給湯回路と、浴槽の水を循環加熱する風呂追い焚き回路と、前記給湯回路と前記風呂追い焚き回路とを共通のバーナ部で加熱される給湯用熱交換器及び風呂用熱交換器と、前記給湯回路の給湯管から分岐され風呂追い焚き回路の往き管に逆止弁を介して接続された第１湯張り管と、風呂追い焚き回路の戻り管に接続された第２湯張り管とを備えたものに於いて、前記往き管の第１湯張り管の接続部分から浴槽側には風呂湯温を検知する風呂湯温検知センサを備えると共に、往き管の第１湯張り管の接続部分から風呂用熱交換器側には流水検知センサを備え、前記第１湯張り管の逆止弁の閉塞状態の故障での風呂の湯張り運転では、前記風呂湯温検知センサが温水の異常加熱を検知して湯張り運転を停止し、前記逆止弁の開成状態の故障での風呂追い焚き運転では、前記流水検知センサが浴槽水の水流を検知せず風呂の追い焚き運転を停止させるものである。
【発明の効果】
【０００５】
この発明によれば、第１湯張り管の逆止弁が閉塞故障した場合には、一体の熱交換器にも湯張り温水が流通して加熱されるが、往き管の浴槽側に設けられた風呂湯温検知センサが、この異常高温を検知することが出来るので、バーナ部の燃焼を停止すると共に、湯張り運転自体を中止して、危険状態を回避することが出来るものであり、又この逆止弁の開放故障の場合には、風呂の追い焚き運転時に第１湯張り管を通り第２湯張り管から戻る短絡回路が形成され、往き管の熱交換器側に設けられた流水検知センサが、この異常を流水が検知出来ないことで検知し、バーナ部の燃焼を停止すると共に、追い焚き運転を中止して、危険状態を回避することが出来るものであり、逆止弁の閉塞及び開放の両方の故障による異常を確実に回避することが出来るものである。
【発明を実施するための最良の形態】
【０００６】
次にこの発明の一実施形態を図面に基づいて説明する。
図１に於いて１は追い焚き給湯装置で、大別して給湯回路２、風呂追い焚き回路３、風呂湯張り回路４より構成されるものである。
【０００７】
先ず、給湯回路２について説明すると、５は給水管、６は給水の温度を検出する給水サーミスタから成る給水温度センサ、７は給水量を検出する給水流量センサ、８は給湯用熱交換器、９は出湯管、１０は給湯用熱交換器８の出口側の湯温を検出する出湯サーミスタ、１１は給水管５から給湯用熱交換器８をバイパスして出湯管９に接続するバイパス管、１２は出湯管９からの高温の湯とバイパス管１１からの低温の水とを混合して適温に制御するミキシング弁、１３は給湯管、１４は混合された湯の温度を検出するサーミスタから成る給湯温度センサ、１５は過流出を防止する水比例弁、１６は給湯管１３の端部に設けられた蛇口、１７は給湯用熱交換器８を加熱する加熱手段としてのバーナ部である。
【０００８】
次に、風呂追い焚き回路３について説明すると、１８は浴槽、１９は戻り管、２０は往き管、２１は前記バーナ部１７により給湯用熱交換器８と共に加熱されるように一体とされた風呂用熱交換器、２２は浴槽１８内の湯を強制循環させる循環ポンプ、２３は循環する浴槽水の温度を検出するサーミスタから成る風呂湯温検知センサ、２４は浴槽水の循環の有無を検出する流水検知センサ、２５は浴槽１８内の水位を圧力によって検出する圧力センサから成る水位検出器である。
【０００９】
次に、風呂湯張り回路４について説明すると、２６は前記給湯回路２の給湯管１３下流側より分岐され、前記風呂追い焚き回路３の往き管２０に逆止弁２７を介して接続された第１湯張り管、２８は前記第１湯張り管２６の逆止弁２７より給湯管１３側の途中から分岐して、風呂追い焚き回路３の戻り管１９に接続された第２湯張り管で、前記第１湯張り管２６の往き管２０との接続部分から浴槽１８側には循環ポンプ２２と風呂湯温検知センサ２３を備えると共に、この接続部分から風呂用熱交換器２１側には流水検知センサ２４を備えている。
【００１０】
２９は風呂湯張り回路４を開閉する湯張り電磁弁、３０は風呂湯張り管２７を通過する流量を検出する湯張りフローセンサ、３１は浴槽水の給湯回路２への逆流を防止するために二重に設けられた逆止弁で、予め設定された設定湯張り量の湯を浴槽１８へ湯張りするものである。
【００１１】
次に、３２はマイクロコンピュータより構成されこの追い焚き給湯装置１の制御を行う制御部である。３３は前記制御部３２に接続されて追い焚き給湯装置１の操作指示を行うリモコンで、風呂自動スイッチ３４や風呂設定温度変更スイッチ３５、設定湯張り量変更スイッチ３６、追い焚きスイッチ３７などの各種操作スイッチと表示器３８とが設けられているものである。
【００１２】
次に、この発明一実施形態の作動について説明する。
今風呂自動スイッチ３４を押圧すれば、バーナ部１７が燃焼を開始して給湯用熱交換器８が加熱され、ここで湯張り電磁弁２９が開成し、第１湯張り管２６及び第２湯張り管２８の２本の管を使用して行われるので、湯張り時間が短縮を図ることが出来るものである。
【００１３】
更に第１湯張り管２６の逆止弁２７が開成状態の故障で、風呂追い焚き運転を行った場合には、循環ポンプ２２の駆動により浴槽水が開放状態の逆止弁２７を通り、第１湯張り管２６を逆流して、第２湯張り管２８から戻り管１９を介して、浴槽１８に戻る短絡回路が形成されるものであるが、浴槽水の流れを検知する流水検知センサ２４が、往き管２０で第１湯張り管２６の接続部分より風呂熱交換器２１側に備えられていることで、浴槽水の水流を検知せず浴槽水がないと判断して、風呂の追い焚き運転を停止させ、異常加熱で熱交換器が焼損するのを防止し、安全性を向上させることが出来るものである。
【００１４】
次に第１湯張り管２６の逆止弁２７が閉塞状態の故障で、風呂の湯張り運転を行った場合には、第２湯張り管２８のみからの湯張りとなり、戻り管１９に流入した温水は浴槽１８側と、風呂用熱交換器２１側に分かれて流れることになるが、風呂用熱交換器２１に流入した湯張り温水は、湯張り運転で加熱されている給湯用熱交換器８と一体の風呂用熱交換器２１で更に加熱された状態で、往き管２０から浴槽１８に流入するので、高温水の入入で危険状態となるが、この往き管２０の浴槽１８側には風呂湯温検知センサ２３が備えられており、温水の異常加熱をこの風呂湯温検知センサ２３が検知して、湯張り運転を停止させ高温水の浴槽１８への流入を阻止して、安全性を確保することが出来るものである。
【００１５】
従って、第１、第２湯張り管２６、２８の２本の湯張り管からの湯張りにより、短時間に素早く湯張りが出来ることは勿論、第１湯張り管２６の逆止弁２７が閉塞及び開成のどちらで故障しても、確実に故障を検知して運転を停止させることが出来るので、極めて安全であり常に安心して使用出来るものである。
【図面の簡単な説明】
【００１６】
【図１】この発明の一実施形態を示す給湯装置の概略構成図。
【符号の説明】
【００１７】
２  給湯回路
３  風呂追い焚き回路
５  給水管
８  給湯用熱交換器
１３  給湯管
１７  バーナ部
１８  浴槽
１９  戻り管
２０  往き管
２１  風呂用熱交換器
２３  風呂湯温検知センサ
２４  流水検知センサ
２６  第１湯張り管
２７  逆止弁
２８  第２湯張り管
【図１】
0004681495.tif 000002